(57)【要約】立体画像を見るために適した眼鏡が開示される。本発明によれば、眼鏡の本体の中にミラー組立体ペアが設けられており、そのそれぞれは一対の実質的に平行でペリスコープ状に配置されたミラーを有し、それにより光がミラーの間に横方向へシフトする。眼鏡は調節機構を有し、各組体のミラーの一つを同じ量だけ、しかし反対方向に同時に調節し、それにより装着者がみることができる画像の二つのペアが重なり合い、かくして装着者は重なり合いが生じていると知覚する域で直ちに立体あるいは三次元画像を感知する。また左右ケーシング１０，１２を分離させる手段が設けられており、それぞれはミラー組立体の一つ及び開孔の一組を収容し調節する。これは眼球間の間隔を変化させる。
2004523786.tif 000002
【特許請求の範囲】
【請求項１】
人の通常の眼球間距離に等しい距離相互にはなれて、装着者の目に隣接して位置する一対の内側第一開孔（１０Ａ，１２Ａ）と、前記内側開孔から等距離反対方向にずれた位置で前方に位置する一対の外側第二開孔（４４、４２）とを有する本体（７）を有し、前記本体は更に前記内側開孔と外側開孔との間に位置する一対のミラー組立体（５４，５６と５０，５２）を有し、該ミラー組立体のそれぞれはペリスコープ（潜望鏡）状に配置されるミラー対を有し、該ミラー対は相互に間隔をあけて実質的に平行に配置され、それにより外側開孔を通って入り第一ミラー（５４，５０）に当たる光が、反射して再び内側開孔を通る前に、第二ミラー（５６，５２）に反射するようになっており、各ミラー組立体のミラーの少なくとも一つにおける傾斜を、前記内側開孔から見ることができる視野を調節するため、その組体の他方のミラーに対して調節可能なっている立体視装置（２）において、前記ミラー傾斜調節機構（２０、２４、２６、２８、３０）が、ひとつのミラー組立体の調節可能なミラー（５０）を、別のミラー組立体の調節可能なミラー（５４）に対し、同じ角度であるが対向方向に動くように制約していることを特徴とする立体視装置。
【請求項２】
前記調節機構が、各ミラー組立体の夫々の調節可能なミラー（５４、５０）と調節ホイール（２０）との間に、機械的リンク（２４、２６、２８、３０）を有し、該調整ホイールの回転により前記夫々のミラーを同時に、しかし反対回動方向に同時に動かすことを特徴とする請求項１記載の装置。
【請求項３】
前記本体７が左右のケーシング（７４，７２）を有する複数の部品から成り、そのケーシング内に前記開孔が設けられており、かつ前記ミラー組立体５４、５６、５０、５２を有することを特徴とする先行請求項のいずれか１項記載の装置。
【請求項４】
左右ケーシング（７４，７２）の間隔の調節をする手段（１８，４０，７６，７８）が設けられ、これらは前記ケーシングを同時にかつ等しく移動することができるが、装着者個々の眼球間距離に合わせて調節できるように、前記手段の動きの方向によって対向方向に移動させることを特徴とする請求項３記載の装置。
【請求項５】
眼球間距離調節のための、前記手段（１８，４０，７６，７８）がラックアンドピニオン機構（４０，７６，７８）を有することを特徴とする請求項４記載の装置。
【請求項６】
ケーシング間の間隔調節のための前記手段が、ミラー５０，５４を回転させる第一調節機構（２０，２４，２６，２８，３０）の一体的な部分であることを特徴とする請求項４または５記載の装置。
【請求項７】
第一調節機構（２０，２４，２６，２８，３０）が、前記部分は相対的な回転することなく相互に分離することができる軸方向にリンクした二つの部分から成り、前記部分は左右ケーシング（１０，１２）の夫々に回転可能に取り付けられていて、調節機構の二つの部分が相互に分離した時にはケーシング間の間隔を装着者が望ましいように変更できることを特徴とする請求項６記載の装置。
【請求項８】
単純な調節ホイール１８が設けられており、その少なくとも一部は本体７の外側にあり、前記ラックアンドピニオン機構のピニオン４０と連結していることを特徴とする請求項５記載の装置。
【請求項９】
一対の肢４，６が装置の本体７と接続しており、本体を装着者の顔面上に、眼鏡状に位置させるようにしたことを特徴とする先行請求項のいずれか１項記載の装置。
【請求項１０】
前記肢４，６が伸長可能であり、例えば入れ子状あるいはその中に摺動可能でラッチを有する部分を有し、使用者がかけている慣用の眼鏡の前面に、前記装置を位置させるようにしたことを特徴とする請求項９記載の装置。
【請求項１１】
前記肢（４，６）が本体から着脱自在であって、異なる寸法の肢と交換できるようにしたことを特徴とする請求項９または１０記載の装置。
【請求項１２】
一本の肢が本体に取り付けられ、本体をオペラグラス状に使用できるようにしたことを特徴とする請求項９―１１のいずれか１項記載の装置。
【請求項１３】
前記左右のケーシング（７４、７２）が装着者の鼻柱状に位置する固定橋部分１４により分離されていることを特徴とする先行請求項のいずれか１項記載の装置。
【発明の詳細な説明】
【技術分野】
【０００１】
本発明は立体視装置(stereoscopic viewing apparatus)に関し、より詳しくは個人に使用され、装着されて使用されるか、あるいは使用者の眼のすぐ前に配置する手段を有し立体的な効果が繰り返しかつできるだけ容易に得られるようにした立体視装置、に関する。
【背景技術】
【０００２】
画像の立体視は既によく知られた技術であり、隣接して配置される立体画像のペアを見る装置はこれまでに考えられてきている。立体画像をみるための多くの種類が従来開発されているが、一般的にこれらすべての画像は、これら画像を別々に見る両方の眼が分離していることに基づくヒトの脳の能力に依存する。より詳しくは物体あるいは風景の画像のペア、例えば相互に僅かに離れた異なる位置から撮影された写真のペアは、隣接して配置されると、複雑な立体視装置を用いなくても、ヒトによって立体的に見ることができる。
【０００３】
立体効果は単一の画像のみが実際に存在すると信じ込むよう脳を欺くことにより得られ、これは、両眼のそれぞれが画像の一方のみに視点をあてるように制約する立体視眼鏡を用いることにより可能になる。脳は、実際には単一の画像のみが存在すると信じるよう欺かれ、最終的な効果は、見かけの単一画像が深さの要素を有するかあるいは事実上立体を有する、とヒトが受取るようにすることである。
【０００４】
このような勘違いをさせるために多くの相異なる技術が考えられている。地図作成に使用されるある技術は航空写真によるものであって、ここでは景色を空中の互いに近接した位置から撮影し、得られる写真を、一対の拡大レンズを有する一対の立体視鏡の下の視界面に並置する。使用者は二つの画像を立体視鏡を通して見て、両眼が僅かに焦点をはずすようにすることにより、三次元効果が突然現れ、写真中の種々構造物の相対的な深さが見えるようになる。
【０００５】
更に、コンピュータを使用して得られる画像であって、ヒトの眼の焦点をある程度はずした後で、一見ランダムなパターンの中に最初はかくれていた三次元物体がヒトの眼に突然あらわれるようになる画像、を生成することも考えられた。
【０００６】
立体映画を見ることに特に適した別の方法は、特別に調節されたレンズ組体を有するカメラを用いて景色をフィルムに保存するものである。これによれば、カメラに当たる景色からの光を二つの別々な光領域に分割し、この領域それぞれは相互に僅かに間隔をおいており、この光領域を記録媒体に保存する前に、両領域の一方または双方の光を偏光させるかフィルタ処理する。三次元的もしくは立体的にこの映像をみるためには、両眼のそれぞれの眼に異なる画像を与えるフィルタあるいは偏光レンズを有する立体視眼鏡を装着すればよい。レンズの代わりに赤およびグリーンの酢酸塩フィルタを有する単純な新案レンズは、立体眼鏡におけるもっとも簡単な種類のよい例である。
【０００７】
立体方式に組み込んだ映画は１９８０年代に作られたけれども、映画化中の光のフィルタ処理あるいは偏光処理は、フィルムにあたる光の質を必然的に劣化させた。また三次元効果は最初は見るヒトに極めてアピールするものであったけれども、これはごく短期間に限定された。その理由は、多数のアーチファクトが立体眼鏡を装着した人に見え、またこのような眼鏡が安価すぎる特徴を持っておりしばしば使い捨て品であること、による。実際このような眼鏡は一般的には隣接する画像ペアの立体視のためには役立たない。なぜならその有用性は、理想的に重ねあわされた画像の偏光特性あるいはフィルタ特性により生じ、フィルタあるいは偏光レンズは画像の特定部分のみを特定の眼（一方の眼）に提示するものであるからである。隣接して配置される立体画像の場合、立体視眼鏡は、片方の目にはその隣接する画像の一方が見えないようにする手段を有することが望ましく、このことは少なくとも使用者が単一の画像のみに焦点をあてるように強制的に制約されていない場合にあてはまるが、その状態を長時間維持することは難しく、ある人にとっては頭痛の原因となる。
【０００８】
かくしてHuangに付与された米国特許第５９４３１６５号は、第一及び第二ミラー（反射鏡）組体を有し、頭に取り付ける立体ビューアを記載している。前記組体はビューアのどちらの側にも配置され、着用者の夫々の眼に近接して位置している。各ミラー組立体は実質的に平行なミラー対からなり、単純なペリスコープ（潜望鏡）の役割をするように配置されている。すなわち第一ミラーは第一画像からほぼ水平方向に光を受取り、その光は垂直下方または上方に反射して第二ミラーに達し、ついで光はほぼ水平方向に反射して特定の（片方の）眼に向かう。第一及び第二ミラー組立体は隣接している。
【０００９】
この特許では第一ミラー組立体は実質的に左眼の下に配置され第二組体は右眼の上に配置され、それにより使用時に左眼は、一方の上に他方があるように隣り合って位置している二つの立体画像の下方からの光を専らうけとり、右眼は上方の画像からの光を専ら受取る。ここでこのような立体視装置により提供される視野は、着用者に三次元効果に迅速な知覚のためには決定的であることが理解されるべきである。なぜなら夫々の眼が画像の一方に焦点をあてた時にのみ、三次元効果が容易に認識されるものであるからである。この点に関し、ビューアには、いずれかのミラー組立体の光を受けるミラーの一方の光を受けるミラーの一方の少なくとも一部前面に配置される、傾斜可能なスクリーンを含むシャッター機構が設けられており、更に両方のミラー組立体は傾斜可能なバンドに取り付けられ、バンドは、ビューアを着用者の頭部に固定する頭部バンドに対して相対的に上方あるいは下方で移動させることができる。
【００１０】
使用時には、ビューアは着用者の頭部に取り付けられ、着用者はまず傾斜可能バンドを動かし彼の眼がそれぞれのミラー組立体のうしろに来るようにする。この段階では、視野は、両眼に両方の立体画像が見える状態にある。ついで着用者はシャッターを調節して画像の一方または他方からの光が彼の眼の一方又は他方に届かないようにする。この点に関し、ミラーを水平面に対して約±４°の範囲で傾斜させるようミラーを回すことにより、一方の組体のミラーのひとつについて視野の調節をすることができる。したがって、ユニットとしてのミラー組立体の傾斜調節と共に、複合的な調節がおこなわれ、それにより一方の眼に余分の画像がみえないようにすること、及び他方の眼に他方の余分の画像が見えないようにすること、の両方が行われて立体効果が迅速に得られる。
【００１１】
この米国特許に開示される装置の基本的な難点は、頭部にとりつけるための装置がかさばることであり、また、通常のメガネをかけた着用者のためには眼とミラー組立体との間に十分な間隔をとる配慮がされているけれども、最小限の説明で迅速に調節するためにはやはり厄介かつ複雑である。
【００１２】
別の装置がTrumbullほかの米国特許第５１２４８４０号に記載されている。これは、着用者の眼球間距離が種々異なることを考慮して、相互に相対的に移動できるレンズ組体ペアを有する従来の眼鏡型のものである。この装置の一態様では、レンズ組体のそれぞれは水平面に対して４５°傾斜した、相互に間隔をおいたミラーのペアと、スクリーンに見られる垂直方向あるいは水平方向に圧縮された画像を拡大することのできるディアーマティック（disamamorpblic）のレンズ、を有する。
【００１３】
この装置は立体画像をみるために適していると明確に記載されているけれども、着用者の眼でみることのできる二つの画像の一方を受取ることを保証する態様は、夫々の眼にもっとも近い各レンズ組体をそれぞれ独立に枢動させることからなり、このことは装置を厄介かつ複雑な構造とする。なぜなら各レンズ組体それぞれに調節機構が必要であるからである。またこれは余分の画像を除くのではなく、一方の眼でみえる二つの画像の一方を他方よりも単に際立たせるにすぎず、したがって、例えばTVスクリーンに表示される圧縮された隣接画像の拡大は可能であるけれども、このような画像の立体視のためには、なお着用者の努力が必要である。
【００１４】
この米国特許はまた夫々のレンズ組体と結合したラックアンドピニオン手段の使用を記載している。これは、装置着用者の顔面に装着された時に、着用者の眼球間距離に従って前記組体を同時に相互に近づけたり離したりするためである。
【発明の開示】
【発明が解決しようとする課題】
【００１５】
本発明の一つの目的は、取り扱いが簡単で製造費用が安価であり、更に軽量で長時間着用あるいは使用しても快適である立体視装置を提供することである。
【００１６】
本発明の別の目的は、使用時には使用者のそれぞれの眼に隣接する開孔を有する立体視装置であって、一対の実質的に隣接する立体画像を夫々の眼で見ることができ、前記両方の開孔から見える視野の調節を同時に調節できる装置を提供することである。
【課題を解決するための手段】
【００１７】
本発明の第一の局面によれば、立体視装置であって、本体を有し、前記本体が、人の通常の眼球間距離に等しい間隔分相互にはなれた内側第一開孔ペアであって、装着者の目に隣接して位置するように構成されている内側開孔と、同様な間隔分で、前記内側開孔から対向方向にずれており前記本体の前面に位置する外側第二開孔ペアとを有し、前記本体は更に前記内側開孔と外側開孔との間に位置するミラー組立体のペアを有し、ミラー組立体のそれぞれはペリスコープ（潜望鏡）状に配置されるミラー対を有し、ミラー対は相互に間隔をあけて実質的に平行に配置され、それにより外側開孔を通る組体それぞれの第一ミラーに当たる光が、反射して再び内側開孔を通る前に、第二ミラーに反射し、組体それぞれのミラーの少なくとも一つにおける傾斜を、前記内側開孔から見ることができる視野を調節するため、その組体の他方のミラーに対して調節可能である装置において、調節機構が本体に設けられており、これはひとつの組体の調節可能なミラーを、別の組体の調節可能なミラーに対し、同じ角度であるが対向方向に動くように制約していることを特徴とする立体視装置が提供される。
【００１８】
好ましくは、前記調節機構が、各ミラー組立体の夫々の調節可能なミラーと調節ホイールとの間に、機械的リンクを有し、その回転により前記夫々のミラーを同時に、しかし反対角度方向に移動させる。
【００１９】
好ましくは、本体が左右のケーシングからなる複数の素子を有し、その中に前記開孔が設けられており、かつ前記ミラー組立体を有する。
【００２０】
好ましくは、左右ケーシングの間隔の調節をする手段が設けられ、これらは前記ケーシングを同時にかつ等しく移動することができるが、特定の装着者の眼球間距離を調節できるよう、前記手段の動きの方向に依存して対向方向に移動させる。
【００２１】
本明細書において“同じ(identical)”なる語を使用する場合、これはミラーと左右ケーシングとの双方の動きに関係するから、出願人はミラーと左右ケーシングとの動きの僅かな変化を含むことを意図しており、それゆえそのような動きが異なる方向へのほぼ同じ量である場合にはこれも本出願の範囲に含まれる、と理解されるべきである。
【００２２】
好ましくは、眼球間距離の調節に使用するための前記手段がラックアンドピニオン型機構を有する。
【００２３】
好ましくは、ケーシング間の間隔調節のための前記手段が、ミラーを回転させる第一調節機構の一体的な部分であり、また好ましくは、第一調節機構の回転が理想的には前記ミラーを回転させ、一方その軸方向への分離または集中が別々のケーシングを分離または集中させる。
【００２４】
あるいは単純な調節ホイールが本体の外側に設けられており、前記ラックアンドピニオン型機構のピニオンと接続していて、装着者が容易に前記眼球間の間隔の調節を行いうるようにする。
【００２５】
好ましくは、肢のペアが装置の本体と接続しており、本体を装着者の顔面上に、眼鏡状に位置させるようにする。
【００２６】
好ましくは、肢が伸長可能であり、例えばテレスコープ状あるいはその中に摺動可能でラッチを有する部分を有し、使用者がかけている慣用の眼鏡の前面に、前記装置を位置させるようにする。
【００２７】
もっとも好ましくは、肢が本体から着脱自在であって、異なる寸法の肢を交換できるようにする。
【００２８】
好ましくは一本の肢が本体に取り付けられ、本体をオペラグラス状に使用できるようにする。
【００２９】
更に、好ましくは左右のケーシングが装着者の鼻柱状に位置する固定橋部分により分離されている。
【００３０】
本発明の利点及び効果は、添付図面に示される実施例により提示される以下の記載により、より深く理解されよう。
【発明を実施するための最良の形態】
【００３１】
まず図１に関し、立体視鏡２が示されており、これは、装着者頭部の対向両側に弾性的にとりつけられて眼鏡を装着者の顔に固定し、また肢４，６を有する。肢は全体的に番号７で示される本体に接続している。本体は、橋部分１４により右目ケーシング１２から分離している左目ケーシング１０を有する。前記橋部分は凹部１６を有し、凹部は、使用時には眼鏡について慣用であるように装着者の鼻柱を受け入れる。ケーシング１０，１２は開孔１０Ａ、１２Ａを有し、これら開孔は、使用時には理想的には装着者の目の前面に位置している。
【００３２】
更に本体には調節ホイール１８、２０が設けられており、これらホイールは相互に直角をなす軸を中心に回転し、一方で左右のケーシング１０，１２中に配置されているミラー組立体を同時に調節することができ、他方で図２と関連してより詳しく説明されるように、前記両ケーシングを同時に相互に遠ざけたり近づけたりする。
【００３３】
図２により、図１において番号７で示した本体が多数の相異なる構成部品から成り立っていることがわかる。特に本体素子７０において、橋部分１４が本体素子と一体的な部分を構成し、また本体素子に肢４，６が取り外し自在にとりつけられている。キャップ７２，７４のペアは開孔４２，４４のペアを有し、これらは使用時には開孔１０Ａ、１２Ａそれぞれの外側に位置している。前記キャップ７２，７４のそれぞれには、相互に対向して配置された歯７６，７８のラックが設けられている。二つのキャップ７２，７４は相互に離れており、調節ホイール１８により回転するピニオンスプロケット４０と前記ラックの歯とが係合することにより、相互に離れたり一緒に動いたりする。
【００３４】
更に調節ホイール２０がボルト２２の一端に配置されており、他端は自由端になっている。前記ボルトは、ホイール２０に隣接し両対向位置に設けられているウォームギア２４，２６を有する。前記ウォームギアはスプロケット２８，３０と係合しており、前記スプロケットは軸部３２、３４を有し、軸部の自由端は、本体部８に設けられた凹部３６、３８で受け止められている。一方前記スプロケット２８，３０は、ケーシング１０，１２中に配置される夫々のミラー組立体中のミラーの一つに設けられたスプロケットと係合しており、それにより調節ねじ２０を回転させると、夫々組体中の前記一つのミラーを同時にかつ対向方向に回転させる。
【００３５】
ここで装置が正常に作動するよう眼球間距離が調節される時には、ミラー組立体は、ケーシング１０，１２及びキャップ７４、７２のそれぞれと共に動かなければならないことが理解されるべきである。前記ケーシング１０，１２は、本体部分７０の橋部分１４とその両端との間で、前記キャップ７４、７２に固定されている。これに関連してボルト２２は実際上二つの部分からなり、これらは相互に摺動自在に中心部で接続しており、それにより、回転する時には両部分が同時に同じ方向へ移動することを保証するが、ボルトは、眼球間距離が調節されると、その長さを伸ばしたり短くしたりすることができる。この作動を確実にするため両部分の接続方式は様々に可能である。本体７の様々の構成素子はすべて、突出部７５Ａを有するカバー７５により固定されており、前記突出部は橋部分１４前面に設けられた適当な凹部に受け止められている。
【００３６】
実際、ボルト２２を構成する二つの部分が相互に相対的な回転をすることなく（このことは夫々ケーシングにおけるミラーが、回転は同じであるが対向方向に向いていることを確実にする）分離するこの構造により、また分離可能な左右のケーシングそれぞれにボルトの二つの部分が必ず回転自在に取り付けられなければならない、という補足的な特徴のもとでは、調節ホイールを省くことができ、ボルト２２の別の側の第二調節ホイール２０を単に設けるだけでよいことが、出願人には見通すことができる。このようにしてボルトが、それぞれケーシング中のミラー組立体におけるミラーの傾斜を調節すること、及びケーシングの眼球間距離を調節すること、の両方の役割をすることが可能になる。このことは、単に、装着者が二つの調節ホイール２０をつかみ、横方向の押しあるいは引っ張りを加えて前記ケーシングを望ましい方向に動かし、一方、同時にボルトを回転させて装着者に立体画像あるいは３D画像を見せるために必要な状態、すなわち画像を見かけ上重ねた状態に達するようにするだけでよい。このラックアンドピニオン機構は、各ケーシングの移動距離は同じであるが反対方向に移動することを保証する。
【００３７】
ボルトを回転することによりそれぞれの目で見られる視野を調節すること、及び前記ボルトの各部分を相互に引っ張って離すか近づく方向に押すことにより眼球間距離を調節すること、が同時にできることは本発明の重要な特徴である。
【００３８】
図３に模式的に示されるミラー組立体は本発明の作用を図示する。特に実質的に平行なミラー５０、５２及び５４，５６のペアは夫々の組体内に収容されており、キャップ７２，７４またはケーシング１０，１２（図２参照）の中に取り付けられ、これらの反射面は立体画像のペア５８，６０の視野面に対して垂直かつ実質的に直角である。この立体画像ペアは様々の媒体、例えば写真フィルム、紙、陰極線管、コンピュータスクリーンなどに表示されるかスクリーン上に画像を投射するものであってよく、また画像は静止したものであるかあるいは映画、漫画、コンピュータゲームのように動きのあるものであってよく、それにより視る人がこの眼鏡を装着した時にはこれを立体的に見ることができるようなものであること、が指摘されよう。
【００３９】
勿論、ミラー組立体は図３Ａに模式的に示されているように、逆にすることもできる。図３及び３Ａの両方において、対物ミラーは移動するように示されているが、一つのミラー組立体の一方あるいは双方のミラーを感知された画像のずれ（perceived image displacement）を得るために移動しうることは理解されるべきである。
【００４０】
ボルトの対向端に設けられたウォームギア２４，２６とスプロケット２８、３０との相互作用を見ることができ、更に前記スプロケット２８，３０は、ミラー組それぞれに枢動可能に取り付けられたミラー５０，５４の先端に設けられている別のスプロケット６２，６４と係合している。勿論スプロケット６２，６４なしで済ますこともでき、ミラー５０，５４が前記スプロケットの柄３２，３４端部に単にとりつけられているだけでもよいことが理解されるべきである。
【００４１】
ミラー組立体それぞれにおける一方のミラーに対する他方のミラーの相対的な傾斜は、同時に変えることができ、かくして装着者の両方の目に写る視野は変えることができる。画像相互の間の間隔(separation between the images)は一定であり、前記画像と装着者との間の距離のみを変えることができ、視野のみを一度調節する必要がある。その後、不要な画像、例えば左眼で見える画像５８及び右眼６６で見られる画像６０（ここで左及び右は図１及び２により定義される）を視野からのぞいた後、三次元画像が迅速に装着者に見られる。勿論この眼鏡は、様々な寸法及び間隔を有する画像を見るために使用することができる。
【００４２】
両ミラーを同時に動かすことによる利点は、立体方式により三次元効果を装着者が見るために必要なミラーの調節により生じる。
【００４３】
まず、眼鏡は装着者に装着され両側のミラーが正確に平行に理想的な状態にセットされる。画像からの装着者の距離に依存して、眼鏡により与えられる視野は、装着者の眼で両画像５８，６０を感知するために十分となりうる。しかしながらミラーをゼロ位置に合わせることは絶対に必要というわけではなく、このことは、初めての使用者には三次元画像をみるためにはより簡単である、というに過ぎない。
【００４４】
立体眼鏡においてミラーを設ける発想は、ミラー組立体の一つのミラーを動かすことにより一方の眼で見られる画像ペアの一方が動かされ、別の眼で見られる二つの感知画像の一つと最終的に重なり合う関係に達する、ことによる。この段階では三つの画像が装着者に看取され、これら三つの画像のうちの中央の画像が、直ちに三次元画像として装着者に現れる。
【００４５】
繰り返すが、画像面からの装着者の相対的な間隔に依存して、一方の眼で見る画像ペアの一方を他方の眼で見る画像ペアの一方に重ね合わせるため、単一のミラーの角度移動（米国特許第５，９４３，１６５号で提案されているような）を得ることが、特に画像及び/あるいはその分離間隔が大きい場合に重要であり、実際、回転するミラーに隣接する一方の眼に反射する光の量を大きく減少させることができる。例えば図４に概略的に示されているように、ミラー組立体が相互に平行であるが視線に対して４５°傾斜するミラーのペアを有する場合、眼鏡の外側開孔４４を通ってミラー５４にあたる光の量はミラー５４“a”の長さの函数であり、これは直角三角形８０の斜辺を形成し、前記ミラーが視線８２に対して傾斜する角度、特にsinαの距離を形成する。ミラー５４が小さな角度θ°分回転すると（図示のように時計方向に）、sinαの減少量は最小限であるが、θ°がαに近づくと大きく増大し、ミラー表面にあたる光は減少してゼロとなる。従ってミラーが回転する角度が大きくなり対応する感知画像が重ねあわされる関係になると、特定のミラーにあたる光の量が著しく減少するため、両方のミラー５０，５４を同時にかつ同じ量だけ移動させ、前記ミラーに反射される眼に対する光を著しく減少させることなく、対応する感知画像を重ねあわされた関係にすることがはるかにベターである。
【００４６】
上記の調節は本発明には重要であるため更に説明が必要である。sinαの間隔は事実上視野の範囲を表わすものであることに注意されるべきである。この間隔はミラーの回転により減少するから、ミラーの表面がθ°回されると視野が変わるのみならず視野の範囲（従ってミラーに当たる光の量）も減少する。先行技術により眼鏡の有用性を限定していたのはこの効果である。先行技術においては、単一のミラーを大きな角度分回転させて二つの対応する感知画像を重ね合わせるようにすることが必要である。その結果視野の範囲を著しく減少させ、このことが潜在的に三次元立体画像の知覚を限定していた。
【００４７】
本発明においては両方のミラーが動く事実が、三次元的に立体視できる画像の大きさと間隔とに、はるかに大きな多様性を与える。何故なら必要なミラー回転を減少できることにより、装着者の眼と隣接する各開孔を通じて感知できる視野の範囲であって、立体効果の得られることを保証するために十分な範囲、を最大にするからである。
【００４８】
更に、本明細書に記載された眼鏡は、装着者の前面に物理的に配置される二つの画像の順序と関わりなく、左右の立体画像ペアを見るために適したものであることは述べておくべきである。立体視が適切に行われるようにするためには、装着者の前面に並べられ、印刷され、あるいはその他の態様で配置される画像の物理的な順序は、画像を最終的に見ることになる特定の眼に対して適切なものである必要がある。例えば左右の眼があるのであるから、対象の左側から撮影した画像と、同じ対象を右から撮影した画像であって、装着者が“立体的”あるいは３Ｄ画像を認識したい場合に左右の眼で同時に見えなければならない対象の画像、がなければならない。
【００４９】
また、ミラーが調節されたときには、眼鏡の着用者が画像をみることができるようにするためには、眼球間の調節も必要であり有用である。ミラーの移動が大きければ大きいほど、眼球間の調節感覚も大きくなることが多い。眼球間調節も、視野を最適化し、不要な画像を隠すために役立つ。
【００５０】
本発明の眼鏡は、隣り合って配置された二つの画像であって、第一画像は左眼により見られ、第二画像は第一画像の右側に配置され通常右目により見られるようにした画像からなる立体画像ペアを見るため、慣用的な態様で使用されるものであるけれども、二つの画像を逆にした場合にも、即ち慣用的な左側画像を慣用的な右側画像の右側に配置した場合にも、立体的な効果が得られるように使用できる。装着者には上記を達成するために、ミラー組立体中をミラーが動くことができる範囲を大きくする必要が生じるかもしれないことが理解されよう。
【００５１】
出願人には、両側の二つのミラーが回転し相互に対して同時に移動することができるミラー組立体を設けてもよいこと、またそのようなことは本願の範囲に含まれるものであること、を見通している。
【図面の簡単な説明】
【００５２】
【図１】本発明による立体視眼鏡の斜視図。
【図２】図１の眼鏡の分解斜視図。
【図３】図１及び２の眼鏡に組み込まれたミラー組立体の機能を模式的に示す図。
【図３Ａ】ミラー組立体の機能を模式的に示す図であって、特に図３のミラー組立体からＳ度のように異なった方向づけがされているかを示す図。
【図４】図３の装置の左眼部分の拡大模式図。
【国際公開パンフレット】
2004523786.tif 000003
2004523786.tif 000004
2004523786.tif 000005
2004523786.tif 000006
2004523786.tif 000007
2004523786.tif 000008
2004523786.tif 000009
2004523786.tif 000010
2004523786.tif 000011
2004523786.tif 000012
2004523786.tif 000013
2004523786.tif 000014
2004523786.tif 000015
2004523786.tif 000016
2004523786.tif 000017
2004523786.tif 000018
2004523786.tif 000019
2004523786.tif 000020
2004523786.tif 000021
2004523786.tif 000022
2004523786.tif 000023
2004523786.tif 000024
2004523786.tif 000025
2004523786.tif 000026
2004523786.tif 000027
【国際調査報告】
2004523786.tif 000028
2004523786.tif 000029
2004523786.tif 000030